(57)【特許請求の範囲】
【請求項１】
第１持ち手と第２持ち手から交差して延びる第１ブレードと第２ブレードを有し、該交差部を軸支して上記第１、第２持ち手の開閉操作により上記第１、第２ブレードを開閉する構成を有すると共に、上記第１、第２ブレードの基端側内縁部に釣り糸裁ち刃を設け、上記第２ブレードの先端側内縁部に凹曲面を呈するガン玉潰し用の第１ガン玉受け皿座と凹曲面を呈するガン玉拡開用の第２ガン玉受け皿座を並設すると共に、上記第１ブレードの先端側内縁部に上記第１ガン玉受け皿座と対向する円形で且つ平面の加圧面を有するガン玉加圧座と上記第２ガン玉受け皿座と対向する開き刃を並設し、上記第１ブレード又は第２ブレードの先端側を曲成して上記第１ガン玉受け皿座とガン玉加圧座の上記対向状態を形成すると共に第２ガン玉受け皿座と開き刃の上記対向状態を形成し、上記第１ガン玉受け皿座とガン玉加圧座を上記第１、第２ブレードの先端側内縁部の先端に配すると共に、上記ガン玉加圧座の加圧面のレベルと第１ガン玉受け皿座の開口面のレベルを上記釣り糸裁ち刃の刃先より低くなるレベルに配し、同様に上記開き刃の刃先レベルと第２ガン玉受け皿の開口面レベルを上記釣り糸裁ち刃の刃先より低くなるレベルに配し、上記ガン玉潰し用の第１ガン玉受け皿座の凹曲面を小径球面にし、上記ガン玉拡開用の第２ガン玉受け皿座の凹曲面を大径球面にし、上記ガン玉潰し用の第１ガン玉受け皿座と上記ガン玉拡開用の第２ガン玉受け皿座の深さをガン玉の下半部の下部球面を支持する深さに設定し、ガン玉を上記小径球面の第１ガン玉受け皿座内に支持し、上記第１、第２ブレードの閉回動により該第１ガン玉受け皿座内に支持したガン玉を上記ガン玉加圧座で潰してガン玉割溝内に通挿した釣り糸に圧着し、他方釣り糸に圧着したガン玉の下半部の下部球面を上記大径球面の第２ガン玉受け皿座内に浅く支持し、上記第１、第２ブレードの閉回動により該第２ガン玉受け皿座内に支持したガン玉の閉鎖された割溝内に上記開き刃を割り込ませて拡開し釣り糸から同ガン玉を取り外す構成としたことを特徴とする釣り用ガン玉着脱鋏。
【発明の詳細な説明】
【０００１】
【発明の属する技術分野】
本発明はガン玉と称される球形の錘を道糸や針巣等の釣り糸に着脱する際に使用する釣り用ガン玉着脱鋏に関する。
【０００２】
【従来の技術】
特許文献１は第１持ち手と第２持ち手から交差して延びる第１ブレードと第２ブレードを有し、該交差部を軸支して上記第１、第２持ち手の開閉操作により上記第１、第２ブレードを開閉する構成を有すると共に、上記第１、第２ブレードの基端側内縁部に釣り糸裁ち刃を設け、更に上記第１ブレードの先端側内縁部に平面から成るガン玉受け平座を設け、他方上記第２ブレードの先端側内縁部の基端に上記ガン玉受け平座の一端と対向するガン玉加圧座を設けると共に、同第２ブレードの先端側内縁部の先端にガン玉受け平座の他端と対向する開き刃を設けた釣り用ガン玉着脱鋏を開示している。
【０００３】
この釣り用ガン玉着脱鋏は上記ガン玉をガン玉受け平座の一端に支持した上で、上記第１、第２ブレードの閉回動により同ガン玉を上記ガン玉加圧座で潰して、ガン玉割溝内に通挿した釣り糸に圧着する構造である。
【０００４】
他方釣り糸に圧着したガン玉は上記ガン玉受け平座の他端に支持し、上記第１、第２ブレードの閉回動により閉鎖されたガン玉割溝内に上記開き刃を割り込ませて拡開し釣り糸から同ガン玉を取り外す構造である。
【０００５】
同様に特許文献２はＵ字形又はＶ字形溝にガン玉を支持し、鋭角な開き刃にて圧着されたガン玉を拡開する釣り用ガン玉着脱鋏を開示している。
【０００６】
又特許文献３は椀座に釣り糸に圧着されたガン玉を支持しつつ釣り糸を椀座側部に設けた釣り糸逃がし溝に入れ、横開き刃にて該圧着されたガン玉を横開きすると共に、歯形を有する平座面間でガン玉を圧着する釣り用ガン玉着脱鋏を開示している。
【０００７】
特許文献４は側面で開放されたＵ字形溝内にガン玉を支持し、開き刃にて圧着されたガン玉を拡開すると共に、平座面間でガン玉を圧着する釣り用ガン玉着脱鋏を開示している。
【０００８】
【特許文献１】
特開平６−２８４８４３号公報
【０００９】
【特許文献２】
実開昭５９−１４３６５３号公報
【００１０】
【特許文献３】
実開昭５９−１７０４７２号公報
【００１１】
【特許文献４】
実開昭６４−２２２６７号公報
【００１２】
【発明が解決しようとする課題】
然るに上記釣り用ガン玉着脱鋏の何れにおいても、ガン玉の潰し（釣り糸への圧着）と同割り（釣り糸からの取り外し）の何れかにおいて、平面から成るガン玉受け平座に小球形のガン玉を支持し、釣り糸にガン玉を圧着する作業、或いは釣り糸に圧着されたガン玉を取り外す作業を行う構成であるため、何れの場合にも平座からガン玉が転がり落ちてしまい、使い勝手が悪く、作業を迅速に行い難い問題点を有している。
【００１３】
加えて上記釣り糸にガン玉を圧着する作業、或いは釣り糸に圧着されたガン玉を取り外す作業の何れにおいても、目測で同じ平座面上の所定位置にガン玉を載せ、作業を行う構成であるため、ガン玉を載せる位置の目測を誤って潰すべきガン玉を割ってしまったり、拡開すべきガン玉を再度潰してしまう不具合を有している。
【００１４】
殊に特許文献３においては、釣り糸に圧着されて変形されたガン玉の下半部を落とし込み支持する、所謂ガン玉の下半部を受け入れる深さを持った椀座に落とし込み支持した上で開き刃を作用させる構成であるため、開き刃を充分な深さまで割り込ませることが困難であり、圧着ガン玉の拡開不全を生ずる問題や、釣り糸の逃がし溝を設けねばならない加工を伴う。
【００１５】
【課題を解決するための手段】
本発明は釣り糸の切断、釣り糸へのガン玉の圧着、釣り糸に圧着されたガン玉の取り外しの一連の作業を１個の鋏で行えるようにした釣り用ガン玉着脱鋏を提供するものである。
【００１６】
又釣り糸へのガン玉の圧着、釣り糸に圧着されたガン玉の取り外しの何れにおいても、ガン玉を安定且つ位置決めして支持し、同各作業が適正に行えるようにした釣り用ガン玉着脱鋏を提供する。
【００１７】
又釣り糸にガン玉を圧着する作業において、ガン玉を鋏の先端にて容易且つ適切に捕捉できるようにした釣り用ガン玉着脱鋏を提供する。
【００１８】
本発明に係る釣り用ガン玉着脱鋏においては、上記第２ブレードの先端側内縁部に凹曲面を呈するガン玉潰し用の第１ガン玉受け皿座と凹曲面を呈するガン玉拡開用の第２ガン玉受け皿座を並設する。
【００１９】
他方上記第１ブレードの先端側内縁部に上記第１ガン玉受け皿座と対向する円形で且つ平面の加圧面を有するガン玉加圧座を設けると共に、上記第２ガン玉受け皿座と対向する開き刃を設ける。
上記第１ブレード又は第２ブレードの先端側を曲成して上記第１ガン玉受け皿座とガン玉加圧座の上記対向状態を形成すると共に第２ガン玉受け皿座と開き刃の上記対向状態を形成する。
【００２０】
そして上記ガン玉を第１ガン玉受け皿座内に支持し、上記第１、第２ブレードの閉回動により該第１ガン玉受け皿座内に支持したガン玉を上記ガン玉加圧座で潰してガン玉割溝内に通挿した釣り糸に圧着する。
【００２１】
更に釣り糸に圧着したガン玉を上記第２ガン玉受け皿座内に支持し、上記第１、第２ブレードの閉回動により該第２ガン玉受け皿座内に支持したガン玉の閉鎖された割溝内に上記開き刃を割り込ませて拡開し釣り糸から同ガン玉を取り外す。
【００２２】
而して上記ガン玉潰し用の第１ガン玉受け皿座の凹曲面は小径球面にし、上記第２ガン玉受け皿座の凹曲面は大径球面にする。
【００２３】
更に上記ガン玉拡開用の第２ガン玉受け皿座の凹曲面を大径球面にしつつ、同第２ガン玉受け皿座の深さをガン玉の下半部の下部球面を支持する深さに設定する。同様に第１ガン玉受け皿座の凹曲面を小径球面にしつつ、同第１ガン玉受け皿座の深さをガン玉の下半部の下部球面を支持する深さに設定する。
【００２４】
釣り糸に圧着する潰し変形前のガン玉は上記小径球面の第１ガン玉受け皿座によって安定に支持し、同圧着後の潰し変形し拡径したガン玉は大径球面の第２ガン玉受け皿座によってその下部球面を釣り糸に達しない深さで浅く安定に支持し、各作業を適切に遂行せしめる。
【００２５】
よって釣り糸の切断、釣り糸へのガン玉の圧着、釣り糸に圧着されたガン玉の取り外しの一連の作業を１個の鋏で作業性良く遂行できる。
【００２６】
好ましくは、上記第１ガン玉受け皿座とガン玉加圧座を上記第１、第２ブレードの先端側内縁部の先端に配置する。
【００２７】
よって釣り糸にガン玉を圧着する作業において、鋏の先端の加圧座と第１ガン玉受け皿座間にガン玉を容易且つ適切に捕捉できるようにした。
又上記ガン玉加圧座の加圧面のレベルと第１ガン玉受け皿座の開口面のレベルを上記釣り糸裁ち刃の刃先より低くなるレベルに配し、同様に上記開き刃の刃先レベルと第２ガン玉受け皿の開口面レベルを上記釣り糸裁ち刃の刃先より低くなるレベルに配し、ガン玉潰しとガン玉拡開を適正に行わせる。
【００２８】
上記ガン玉加圧座は上記第１ガン玉受け皿座と同芯の円形の加圧面を有する加圧座にし、球形のガン玉を視認しつつその頂点を適切に加圧できるようにする。
【００２９】
又上記第２ブレードの釣り糸裁ち刃に釣り糸通し溝を設け、道糸や針巣の釣り糸を第１、第２ブレード基端側の釣り糸裁ち刃上に確実に位置決めして切断し得る。
【００３０】
【発明の実施の形態】
以下本発明の実施の形態を図１乃至図９に基づいて説明する。
【００３１】
図１に示すように、第１持ち手１から延びる第１ブレード２と、第２持ち手３から延びる第２ブレード４を有し、該第１、第２ブレード２，４を上記第１、第２持ち手１，３とから交差して延ばし、該交差部を軸５にて枢支して上記第１、第２持ち手１，３の開閉操作により上記第１、第２ブレード２，４を開閉する構成を有する。
【００３２】
上記第１、第２ブレード２，４の基端側内縁部、即ち上記軸５側の内縁部に釣り糸裁ち刃６を夫々設ける。
【００３３】
更に第２ブレード４の先端側内縁部、即ち上記軸５から遠ざかる側の内縁部に凹曲面を呈するガン玉潰し用の第１ガン玉受け皿座７と、凹曲面を呈するガン玉拡開用の第２ガン玉受け皿座８を並設する。
【００３４】
再述すると、第２ブレード４の先端側内縁部に平座９を設け、該平座９の座面に凹曲面を並成し、上記第１、第２ガン玉受け皿座７，８を形成する。
【００３５】
図９Ｂに示すように、上記第１ガン玉受け皿座７と第２ガン玉受け皿座８は何れも略球形面にする。そして上記第１ガン玉受け皿座７の球形の凹曲面は小径にし、ガン玉１３の割溝１４と干渉しない位置でガン玉１３の下面を支持し、割溝１４内の糸通しを適切に行えるようにする。
【００３６】
即ち第１ガン玉受け皿座７は小径球面で且つガン玉１３の中心部に達しない深さ、即ちガン玉１３の下半部の下部球面を支持する深さに設定する。
【００３７】
又第２ガン玉受け皿座８の球形の凹曲面は大径にし、潰された大径のガン玉１３の下面を適切に支持できるようにする。
【００３８】
同様に第２ガン玉受け皿座８は第１ガン玉受け皿座７よりも大径球面で且つガン玉１３の中心部に達しない深さ、即ちガン玉１３の下半部の下部球面を支持する深さに設定する。
【００３９】
ここにおいて球形の凹曲面とは、正円球形又は楕円球の凹曲面を意味する。
【００４０】
他方上記第１ブレード２の先端側内縁部に、上記第１ガン玉受け皿座７と対向するガン玉加圧座１０と、上記第２ガン玉受け皿座８と対向する開き刃１１を並設する。
【００４１】
上記第１ガン玉受け皿座７とガン玉加圧座１０とは同芯に対向して配し、同様に第２ガン玉受け皿座８の直径線上に上記開き刃１１を対向して配する。
【００４２】
よって図９Ａ、Ｂに示すように、第１ブレード２又は第２ブレード４の先端側を曲成して上記上下対向状態を形成する。
【００４３】
図９Ａに示すように、上記ガン玉加圧座１０は円盤形を呈し、円形で且つ平面の加圧面１８を有する。即ち該加圧面１８は平面から成る円形の平座面にし、ガン玉潰し時のガン玉の圧縮変形を適切に惹起せしめる。
【００４４】
上記第１ガン玉受け皿座７は第２ブレード４の先端側内縁部の先端に配置し、同様に上記ガン玉加圧座１０を上記第１ブレード２の先端側内縁部の先端に配置する。
【００４５】
次に図２乃至図５に基づき、釣り糸１２にガン玉１３を圧着する作業について説明し、構成をより明らかにする。
【００４６】
図３に示すように、ガン玉１３の下半部の下部球面を第１ガン玉受け皿座７内に支持し、即ち釣り糸１２に達しない深さで浅く支持し、第１、第２持ち手１，３の閉操作により第１、第２ブレード２，４を閉回動し、ガン玉１３を第１ガン玉受け皿座７とガン玉加圧座１０間に捕捉する。
【００４７】
図４に示すように、該ガン玉捕捉状態でガン玉１３の割溝１４に釣り糸１２を糸通しする。
【００４８】
図２に示すように、上記第１ガン玉受け皿座７とガン玉加圧座１０を第１、第２ブレード２，４の先端側内縁部の先端に配置する構成により、釣り用ガン玉着脱鋏の先端を容器１６内に収容されているガン玉１３に差し向け、図３に示す上記第１ガン玉受け皿座７とガン玉加圧座１０間におけるガン玉捕捉が簡便に行える。
【００４９】
次に図５Ａ、Ｂに示すように、上記第１、第２持ち手１，３を更に閉操作することにより第１、第２ブレード２，４を更に閉回動せしめ、これにより上記第１ガン玉受け皿座７内に支持したガン玉１３を上記ガン玉加圧座１０の加圧面１８で潰し、即ちガン玉１３を圧縮変形させると共に、ガン玉割溝１４を閉鎖して同割溝１４内に通挿した釣り糸１２に圧着する。
【００５０】
第１、第２持ち手１，３の一方の内側面にはストッパー１７を突設し、該ストッパー１７を他方の内側面に突き当て、第１、第２持ち手１，３及び第１、第２ブレード２，４の最大閉じ位置を設定する。
【００５１】
次に図６、図７に基づく釣り糸１２に圧着したガン玉１３を取り外す作業について説明し、構成をより明らかにする。
【００５２】
釣り糸１２に圧着したガン玉１３はその下半部の下部球面を上記大径の第２ガン玉受け皿座８内に支持し、即ち釣り糸１２に達しない深さで浅く支持し、ガン玉１３の割溝１４を上向きにした上で上記第１、第２持ち手１，３の閉操作により、第１、第２ブレード２，４を閉回動せしめ、これにより上記第２ガン玉受け皿座８内に支持したガン玉１３の閉鎖された割溝１４内に上記開き刃１１を割り込ませて拡開し、釣り糸１２から同ガン玉１３を取り外す。
【００５３】
又上記開き刃１１の刃先レベルと第２ガン玉受け皿８の開口面レベルを釣り糸裁ち刃６の刃先より低くなるレベルに配し、第１、第２ブレード２，４を最大位置まで閉じてガン玉１３を拡開した時に、第２ガン玉受け皿座８との間に僅かな間隙を形成するように設定し、釣り糸１２を切断しないようにする。
【００５４】
同様に、ガン玉加圧座１０の加圧面１８のレベルと第１ガン玉受け皿座７の開口面のレベルを釣り糸裁ち刃６の刃先より低くなるレベルに配し、即ち上記開き刃１１と第２ガン玉受け皿座８のレベルと略同一レベルに設定し、ガン玉潰しとガン玉拡開を適正に行わせる。
【００５５】
図８に示すように、上記第２ブレード４の釣り糸裁ち刃６に、刃先で開放された釣り糸通し溝１５を設ける。
【００５６】
これにより、道糸や針巣の釣り糸１２を糸通し溝１５の形成壁で規制して係留し、上記ガン玉潰し部やガン玉開き部に滑り動することなく、第１、第２ブレード２，４基端側の釣り糸裁ち刃６上に確実に位置決めして切断し得る。
【００５７】
【発明の効果】
本発明によれば、釣り糸に圧着する潰し変形前のガン玉を上記小径球面の第１ガン玉受け皿座によって安定に支持し、同圧着後の潰し変形し拡径したガン玉を大径球面の第２ガン玉受け皿座によってその下部球面を釣り糸に達しない深さで浅く安定に支持し、各作業を適切に遂行せしめる。
【００５８】
よって釣り糸の切断、釣り糸へのガン玉の圧着、釣り糸に圧着されたガン玉の取り外しの一連の作業を１個の鋏で作業性良く遂行できる。
【００５９】
又釣り糸にガン玉を圧着する作業において、鋏の先端の加圧座と第１ガン玉受け皿座間にガン玉を容易且つ適切に捕捉できる。
【００６０】
又上記第２ブレードの釣り糸裁ち刃に釣り糸通し溝を設け、道糸や針巣の釣り糸を第１、第２ブレード基端側の釣り糸裁ち刃上に確実に位置決めして切断し得る。
【図面の簡単な説明】
【図１】釣り用ガン玉着脱鋏の側面図。
【図２】釣り用ガン玉着脱鋏によりガン玉を捕捉する状態を示す要部側面図。
【図３】釣り用ガン玉着脱鋏によりガン玉を捕捉した状態を示す要部側面図。
【図４】上記捕捉されたガン玉に釣り糸を通挿する状態を示す要部側面図。
【図５】Ａは上記捕捉されたガン玉を釣り糸に圧着する状態を示す要部側面図、Ｂは同断面図。
【図６】上記釣り用ガン玉着脱鋏によりガン玉を拡開する位置に保持して拡開に供する状態を示す要部側面図。
【図７】図６におけるガン玉の拡開状態を示す断面図。
【図８】釣り用ガン玉着脱鋏により釣り糸を切断する状態を示す要部側面図。
【図９】Ａは加圧座の平面図、Ｂは第１、第２ガン玉受け皿座の平面図。
【符号の説明】
１…第１持ち手、２…第１ブレード、３…第２持ち手、４…第２ブレード、５…軸、６…釣り糸裁ち刃、７…第１ガン玉受け皿座、８…第２ガン玉受け皿座、９…平座、１０…ガン玉加圧座、１１…ガン玉開き刃、１２…釣り糸、１３…ガン玉、１４…ガン玉割溝、１５…釣り糸通し溝、１６…容器、１７…ストッパー、１８…加圧面
【図１】
0003671180.tif 000002
【図２】
0003671180.tif 000003
【図３】
0003671180.tif 000004
【図４】
0003671180.tif 000005
【図５】
0003671180.tif 000006
【図６】
0003671180.tif 000007
【図７】
0003671180.tif 000008
【図８】
0003671180.tif 000009
【図９】
0003671180.tif 000010